(57)【特許請求の範囲】
【請求項１】
送信源から送信される有料のサービス情報を受信して、表示するサービス情報受信装置において、
前記有料のサービス情報の受信を可能にする期間を示す有効期間データを記憶してなる情報記憶媒体を脱着可能な装着部と、
前記有効期間データが示す期間の少なくとも一部を日単位で指定する指定手段と、
この指定手段により指定された期間を、前記情報記憶媒体に記憶されている有効期間データから減算する減算手段と、
現在月日に、前記指定手段により指定された期間を加算して、前記有料のサービス情報を受信し得る期間の終了日である使用終了日を演算する演算手段と、
この演算手段により演算された使用終了日を記憶する記憶手段と、
現在月日と前記記憶手段に記憶された前記使用終了日とを比較し、該使用終了日まで、前記有料のサービス情報を表示に供する制御手段と、
を有することを特徴とするサービス情報受信装置。
【請求項２】
前記情報記憶媒体が、既に前記指定手段によってサービス情報受信装置に有効期間データが示す期間の一部を取得させたものである場合において、前記演算手段は当該情報記憶媒体に残存している有効期間データが示す期間を取得して前記演算を行うことを特徴とする請求項１記載のサービス情報受信装置。
【請求項３】
前記情報記憶媒体の使用歴を示すデータを、当該情報記憶媒体に書き込む書込手段を更に有することを特徴とする請求項１記載のサービス情報受信装置。
【発明の詳細な説明】
【０００１】
【産業上の利用分野】
本発明は、ＦＭ多重放送による有料のサービス情報（選択呼出しサービスを含む）の受信に好適なサービス情報受信装置に関する。
【０００２】
【従来の技術】
従来、ＦＭ放送電波に文字情報等のサービス情報を多重させて送信し、そのサービス情報を受信側に設けた表示手段に表示させるＦＭ放送電波を媒体としたサービスが考えられている。このサービスは、いわゆる移動体ＦＭ文字多重放送とも称され、見えるラジオ（Ｖｉｓｕａｌ  Ｉｎｆｏｒｍａｔｉｏｎ  Ｒａｄｉｏ）として実用化されつつある。
【０００３】
具体的には、送信側のＦＭ放送局から通常のＦＭ放送電波に文字や数字等の表示情報を多重化させた電波を送信し、受信側に設けた液晶ディスプレイ付きＦＭラジオにより前記電波を受信して、ＦＭ放送電波と文字や数字等の表示情報等とを分離し、表示情報を文字コードに変換して液晶ディスプレイに表示し利用者の視認に供するようにしたものである。これにより、利用者は例えば天気予報、交通情報等を文字により視認することが可能となる。この移動体ＦＭ文字多重放送においては、無料のサービス情報の提供の他、特定のサービス情報については有料化することが考えられている。
【０００４】
【発明が解決しようとする課題】
上述した移動体ＦＭ文字多重放送における有料サービス情報を利用者に提供する場合、この移動体ＦＭ文字多重放送を営む事業者は何等かの方法で利用者から利用料金を徴収する必要がある。しかし、単純に事業者と利用者との間の料金月払い契約等で徴収しようとすると、利用者側の支払い滞納等が生じ易く、利用者の管理が煩雑になるという問題がある。
【０００５】
また、利用者側にしてみれば、事業者又は金融機関等へ利用料金を支払いに行かなければばならず、利用者側の負担が大きいという問題がある。更に、移動体ＦＭ文字多重放送の場合、ＦＭ放送電波を利用する関係上支払い滞納の利用者のみサービス情報の提供を中止することは実際上困難である。
【０００６】
そこで、本発明は、有料のサービス情報の放送を行う際に、利用者にとって利用料金の支払い処理が簡略であり、事業者にとって煩雑さを伴うことなく利用者を管理することのできるサービス情報受信装置を提供することを目的とするものである。
【課題を解決するための手段】
前記課題を解決するため本発明にあっては、送信源から送信される有料のサービス情報を受信して、表示するサービス情報受信装置において、前記有料のサービス情報の受信を可能にする期間を示す有効期間データを記憶してなる情報記憶媒体を脱着可能な装着部と、前記有効期間データが示す期間の少なくとも一部を日単位で指定する指定手段と、この指定手段により指定された期間を、前記情報記憶媒体に記憶されている有効期間データから減算する減算手段と、現在月日に、前記指定手段により指定された期間を加算して、前記有料のサービス情報を受信し得る期間の終了日である使用終了日を演算する演算手段と、この演算手段により演算された使用終了日を記憶する記憶手段と、現在月日と前記記憶手段に記憶された前記使用終了日とを比較し、該使用終了日まで、前記有料のサービス情報を表示に供する制御手段とを有している。
【０００９】
【作用】
前記構成のサービス情報受信装置において、装着部に情報記憶媒体が装着されている状態で、指定手段により有効期間データが示す期間の少なくとも一部を指定すると、記憶手段は、演算された有料のサービス情報を受信し得る期間の終了日である使用終了日を記憶する。したがって、情報記憶媒体に記憶されている有効期間データを任意の範囲で指定して、任意の使用終了日を記憶手段に記憶させることが可能となり、また情報記憶媒体に残存している有効期間データが示す期間に基づく使用終了日を他のサービス情報受信装置の記憶手段に記憶させることも可能となる。
【００１０】
そして、このように記憶手段に使用終了日が記憶されると、この記憶された使用終了日に基づき、制御手段は有料のサービス情報を表示に供する。したがって、単一の情報記憶媒体に記憶されている有効期間データの任意の範囲を、複数のサービス情報受信装置に取得させて各々の記憶手段に記憶させることにより、単一の情報記憶媒体を用いて、複数のサービス情報受信装置が、有料のサービス情報を表示することが可能となる。
【００１３】
【実施例】
以下、本発明の実施例を詳細に説明する。図１は、本発明の一実施例を適用する移動体ＦＭ文字多重放送のシステム構成を示すものである。
【００１４】
この移動体ＦＭ文字多重放送のシステムは、有料及び無料のサービス情報を多重化したＦＭ放送電波を送信する事業者である送信源としてのＦＭ放送局３と、このＦＭ放送局３からのＦＭ放送電波を受信する本実施例のサービス情報受信装置１と、このサービス情報受信装置１において、有料のサービス情報を受信する際に用いる情報記憶媒体であるＩＣカード２の販売を行う、コンビニエンスストア等の販売店４とから構成され、この販売店４は前記ＦＭ放送局３と所定のカード売買契約等を交わしている。
【００１５】
次に、前記サービス情報受信装置１について、図２から図５を参照して説明する。
【００１６】
このサービス情報受信装置１には、図２に示すように、略直方体状の装置本体１Ａの表面に、キー入力部５、及びサービス情報を表示するのみならず操作情報を表示する操作指示手段としても機能する表示部６が設けられている。キー入力部５には、文字削除キー７、機能選択キー８、ひらがな、カタカナ及び数字を選択する文字・数字選択キー９、絵文字キー１０、“あ”〜“わ”のひらがな及び“１”〜“０”の数字を入力するひらがな・数字入力キー群１１、放送電波のチューニングを行うチューニングキー１２、ラジオ、サービス情報の切り替えキー１３、情報メニューキー１５、譲渡設定ＳＷ９１、期限減少ＳＷ９２、確定ＳＷ９３、ＦＭ多重の番組選択、カーソル移動、実行、計算実行等を行うカーソルキー１７、情報バンク、電話、計算、シークレット等のモードを選択するモードキー群１８等が設けられている。
【００１７】
前記サービス情報受信装置１の一方の側面には、図３に示すように、ステレオヘッドホン用ジャック１９、音量調整ダイヤル２０、電源スイッチ２１が設けられている。前記サービス情報受信装置１の他方の側面には、図４に示すように、情報記憶媒体であるＩＣカード２を装着するスロット２２が設けられている。
【００１８】
図５は、前記サービス情報受信装置１の構造を示すブロック図であり、ＦＭ放送電波を受信し対応する音声を発音するＦＭラジオ部３０と、このＦＭラジオ部３０により受信したＦＭ放送電波に多重化されている有料、無料のサービス情報の受信に対する各種の処理を行うサービス情報受信部４０とを有している。
【００１９】
前記ＦＭラジオ部３０は、ＦＭ放送電波を受信するアンテナ３１と、ＦＭ放送電波のチューニングを行うＦＭチューナ３２と、ＦＭ信号の復調を行うＦＭ復調器３３と、復調されたＦＭ信号をステレオ信号にするステレオ復調器３４と、このステレオ復調器３４の出力信号を増幅する一対のアンプ３５ａ，３５ｂと、アンプ３５ａ，３５ｂで増幅された信号を音声として出力する一対のスピーカ３６ａ，３６ｂとを具備している。前記ステレオヘッドホン用ジャック１９にステレオヘッドホンを装着してＦＭステレオ放送を聴取することも勿論可能である。
【００２０】
前記サービス情報受信部４０は、前記ＦＭ復調器３３に接続され、前記ＦＭステレオ放送のＬ、Ｒ信号の変調度に対して多重信号の大きさ（レベル）を４〜１０％まで変化するデジタル変調を行いＦＭ放送電波に多重化されているサービス情報を分離するＬ−ＭＳＫ（Ｌｅｖｅｌ  Ｃｏｎｔｒｏｌｌｅｄ  Ｍｉｎｉｍａｍ  Ｓｈｉｆｔ  Ｋｅｙｉｎｇ）復調器４１と、誤り訂正復号器４２と、分離されたサービス情報に対する各種の処理を行う受信処理部４３とを有している。
【００２１】
受信処理部４３は、処理プログラムを格納したＲＯＭを内蔵しており、この処理プログラムに従って動作することにより、本実施例において制御手段及び書込手段を構成するとともに、後述する各種レジスタを有している。この受信処理部４３に対して、記憶手段としてのＥ２−ＲＯＭ４４と、前記キー入力部５及び表示部６と、前記ＩＣカード２に対する読取り書き込み処理を行うカード処理部４５と、受信データ（受信情報）等を記憶する受信データメモリ４７と、前記キー入力部５からの入力データ（入力情報）を記憶する入力データメモリ４８と、受信処理部４３の処理結果に応じて警報を発するブザー等の報音部４９と、前記キー入力部５におけるチューニングキー１２の操作に応じて前記ＦＭチューナ３２の受信チューニングを行う受信制御部５５とが接続されている。  図６は、前記ＩＣカード２の構成を示すブロック図である。このＩＣカード２は、サービス情報受信装置１とデータの授受を行うコネクタ５１と、後述する有効期間相対値データ等を記憶するＥＥ−ＰＲＯＭ５２と、暗号化受け渡し用のＣＰＵ５３とから構成されている。
【００２２】
図７（Ａ）は、このＩＣカード２におけるＥＥ−ＰＲＯＭ５２のメモリエリア構造を示すものであり、有効期間相対値データ記憶領域５２ａ、使用開始日データ書き込み領域５２ｂ、使用終了日データ書き込み領域５２ｃ、未使用フラグデータ書き込み領域５２ｄ、有料番組許可数データ記憶領域５２ｅ、譲渡開始日データ書き込み領域５２ｆ、及び譲渡終了日データ書き込み領域５２ｇが設けられている。有効期間相対値データ記憶領域５２ａには、有効期間相対値データＵＤが予め記憶されており、この有効期間相対値データＵＤは、“日”を単位として１〜３６５のいずれかの相対有効期間を示す９ビットデータで構成され、例えば６ケ月であれば“１８２”を示すデータが、１２ケ月であれば“３６５”を示すデータが、工場出荷時等において予め記憶されている。
【００２３】
使用開始日データ書き込み領域５２ｂには、後述する処理により使用開始年データＳＫＹＤと、使用開始月日データＳＫＤＤとが書き込まれる。使用開始年データＳＫＹＤは、１９９４年から２０１０年までを示す４ビットデータで書き込まれ、使用開始月日データＳＫＤＤは、１日から３６５日に対応する０〜３６４の９ビットデータで書き込まれる。したがって、例えば使用開始日が１９９４年１２月３１であるとすると、ＳＫＹＤとして“１９９４”を示す４ビットデータが書き込まれ、ＳＫＤＤとして１２月３１日に対応する“３６４”を示す９ビットデータが書き込まれることとなる。
【００２４】
使用終了日データ書き込み領域５２ｃにも、後述する処理により使用終了年データＳＳＹＤと、使用終了月日データＳＳＤＤとが、同様にして各々１９９４年から２０１０年までを示す４ビットデータと、１日から３６５日に対応する０〜３６４の９ビットデータで書き込まれる。更に、未使用フラグデータ書き込み領域５２ｄにも、工場出荷時等において予め未使用を示すフラグＭＦ＝１が書き込まれており、このフラグＭＦは後述する処理により、譲渡権有りを示すＭＦ＝０、あるいは使用禁止を示すＭＦ＝２に書き換えられる。
【００２５】
有料番組許可数データ記憶領域５２ｅには、有料番組許可数データＵＢＤが工場出荷時等において予め書き込まれており、この有料番組許可数データＵＢＤは１番組〜３番組に対応する“１”〜“３”のいずれかの値からなる。この有料番組許可数データＵＢＤと前記有効期間相対値データＵＤとは、当該ＩＣカード２の種類及び販売価格に応じて異なり、販売価格の高いＩＣカード２ほど、大きな値からなる。
【００２６】
更に、譲渡開始日データ書き込み領域５２ｆには、後述する処理により譲渡開始年データＪＫＹＤと、譲渡開始月日データＪＫＤＤとが書き込まれる。譲渡開始年データＪＫＹＤは、１９９４年から２０１０年までを示す４ビットデータで書き込まれ、譲渡開始月日データＪＫＤＤは、１日から３６５日に対応する０〜３６４の９ビットデータで書き込まれる。譲渡終了日データ書き込み領域５２ｇにも、後述する処理により譲渡終了年データＪＳＹＤと、譲渡終了月日データＪＳＤＤとが、同様にして各々１９９４年から２０１０年までを示す４ビットデータと、１日から３６５日に対応する０〜３６４の９ビットデータで書き込まれる。
【００２７】
また、前記Ｅ２−ＲＯＭ４４には、図７（Ｂ）に示すように、本体譲渡終了日データ書き込み領域４４ａが設けられている。この本体譲渡終了日データ書き込み領域４４ａには、本体譲渡終了年データＨＪＳＹと、本体譲渡終了月日データＨＪＳＤとが、各々１９９４年から２０１０年までを示す４ビットデータと、１日から３６５日に対応する０〜３６４の９ビットデータとで書き込まれる。ここで、本体譲渡終了年データＨＪＳＹと、本体譲渡終了月日データＨＪＳＤとは、ＩＣカード２からサービス情報受信装置１側に譲渡された有料放送を受信し得る期間の終了年と終了月日とを示すデータである。したがって、この両データＨＪＳＹとＨＪＳＤは、ＩＣカード２を装着した後に書き込まれる性質のものであるが、後述する処理の都合上このサービス情報受信装置１の出荷時の年月日が本体譲渡終了年データＨＪＳＹと、本体譲渡終了月日データＨＪＳＤとして予め記憶されている。
【００２８】
図８は、前記ＦＭ放送局３に配置されるサービス情報送信装置７０を示すものであり、このサービス情報送信装置７０は、送信部７１と、多重化処理部７２と、後述するような有料、無料のサービス情報を多重化処理部７２に送り出す送信処理部７３、及び現在年月日データを発生する計時部７４を具備している。送信部７１は、音声情報のステレオ変調を行うステレオ変調器７５と、ＦＭ変調器７６と、送信器７７と、送信アンテナ７８とを具備している。多重化処理部７２は、符号化部８２，８２、多重化部７９、誤り訂正付加器８０、Ｌ−ＭＳＫ変調器８１を具備している。
【００２９】
前記ＦＭ放送電波に多重化されるサービス情報の送信信号フォーマットについて図９を参照して説明する。サービス情報の送信情報は、年月日データＨＤ、番組表データと、これに続くサービス情報である番組１〜番組Ｎの内容データとで構成され、これら一連のデータが繰り返し送信される。番組表データは、番組表であることを示すＩＤ（ＩＤ＝ＨＩ）、番組総数ＢＳ、及び番組固有データで構成される。この番組固有データは、番組名ＢＭ、有料放送コードＵＨ（“０”で無料を示し“１”で有料を示す）、見本番組有無コードＭＢ（“０”で見本番組無しを示し“１”で見本番組有りを示す）で構成されている。
【００３０】
また、番組１〜番組Ｎの各内容データは、番組内容を示すＩＤ（ＩＤ＝ＮＩ）、各番組１〜番組Ｎ毎に異なる番号である番組番号ＢＢ、本番組内容の大きさを示すデータＨＯ、見本番組の大きさを示すデータＭＯ、及び番組内容データで構成されている。この番組内容データは、表示するサービス情報の内容である本番組内容と、このサービス情報の見本である見本番組内容とで構成されている。
【００３１】
なお、図示は実データであり、実際は誤り訂正用のチェックサムや暗号化処理等を行って送信される。
【００３２】
次に、前記サービス情報受信装置１の動作を図１０以降に示したフローチャートに従って説明する。なお、フローにおいては、下記に示すデータ及びレジスタを用いている。
0003610624.tif 000002
【００３３】
すなわち、サービス情報受信装置１内の受信処理部４３は、電源スイッチ２１の投入に伴って図１０〜１３に示した一連のフローに従って動作を開始し、多重放送年月日データＨＤの受信を監視する（ＳＡ１）。そして、多重放送年月日データＨＤが受信されると、この多重放送年月日データＨＤをＧＲに格納する。ここで、ＧＲは前記のようにＧＹＲ及びＧＤＲの両レジスタを示すことから、この受信した年月日データＨＤのうち、４ビットの現在年データを現在年データレジスタＧＹＲに格納し、９ビットの現在月日データを現在月日データレジスタＧＤＲに格納する（ＳＡ２）。
【００３４】
次に、Ｅ２−ＲＯＭ４４の本体譲渡終了日データ書き込み領域４４ａに書き込まれている本体譲渡終了年データＨＪＳＹと、現在年データＧＹＲとを比較し、ＨＪＳＹ＜ＧＹＲであるか否かを判別する（ＳＡ３）。この本体譲渡終了年データＨＪＳＹは、図１１のＳＡ２１及び図１３のＳＡ４０において後述するように、ＩＣカード２からサービス情報受信装置１側に譲渡された有料放送を受信し得る有効期間の終了年を示している。したがって、ＳＡ３の判別の結果、ＨＪＳＹ＜ＧＹＲの関係にあれば、ＩＣカード２からサービス情報受信装置１側に譲渡された有料放送を受信し得る有効期間の終了年を過ぎており、この場合にはＳＡ４，ＳＡ５の判別を行うことなく、ＳＡ６に進む。また、ＨＪＳＹ＜ＧＹＲの関係にないのであれば、更に本体譲渡終了年データＨＪＳＹと現在年データＧＹＲとが等しいか否かを判別する（ＳＡ４）。この判別の結果、ＨＪＳＹ≠ＧＹＲであれば、譲渡された有効期間の終了年前であり、現時点は譲渡された有効期間内であることが明らかであり、よって有料放送受信モードを設定する（ＳＡ８）。
【００３５】
しかし、ＨＪＳＹ＝ＧＹＲであって、譲渡終了年データと現在年データとが一致している場合には、さらに、本体譲渡終了月日データＨＪＳＤと現在日データＧＤＲとを比較する（ＳＡ５）。この本体譲渡終了月日データＨＪＳＤも、図１１のＳＡ２１及び図１３のＳＡ４０において後述するように、ＩＣカード２からサービス情報受信装置１側に譲渡された有料放送を受信し得る譲渡有効期間の終了月日を示している。したがって、ＳＡ５のでの比較の結果ＨＪＳＤ≦ＧＤＲであれば、既に譲渡有効期間を過ぎており、この場合にはＳＡ６に進む。しかし、ＨＪＳＤ＞ＧＤＲであれば、本体譲渡終了日前であることから、有料放送受信モードを設定する（ＳＡ８）。
【００３６】
ここで、このサービス情報受信装置１を購入後本日初めて使用したのであれば、前述のように、Ｅ２−ＲＯＭ４４の本体譲渡終了日データ書き込み領域４４ａには、当該サービス情報受信装置１の出荷時の年月日が本体譲渡終了年データＨＪＳＹと、本体譲渡終了月日データＨＪＳＤとして予め記憶されている。そして、出荷時の年月日は、ユーザーがこのサービス情報受信装置１の使用を開始する時点よりも必ず前である。したがって、このサービス情報受信装置１の使用を開始した時点においては、ＳＡ３→ＳＡ６又はＳＡ３→ＳＡ４→ＳＡ５→ＳＡ６と進むこととなる。そして、このＳＡ６では、ＩＣカード２がスロット２２に装着されているか否かを判別して、装着されていない場合には、非有料放送受信モードを設定する（ＳＡ７）。
【００３７】
つまり、本日が、Ｅ２−ＲＯＭ４４の本体譲渡終了日データ書き込み領域４４ａに書き込まれている本体譲渡終了日より前であって、譲渡有効期限内であれば、ＩＣカード２が装着されていると否かに拘わらず有料放送受信モードを設定し（ＳＡ８）、譲渡有効期限を過ぎており且つＩＣカード２が装着されていなければ、非有料放送受信モードを即設定するのである（ＳＡ７）。
【００３８】
また、譲渡有効期限は過ぎているがＩＣカード２が装着されている場合、つまりＳＡ６の判別がＹＥＳである場合には、該ＳＡ６から図１１のＳＡ９に進み、ＭＦ＝１であるか否かを判別する。この判別の結果、ＭＦ＝１であれば、装着されているＩＣカード２は未使用のものであり、この日が当該ＩＣカード２の使用開始日である。したがって、ＧＹＲに格納されている現在年データを、使用開始年データＳＫＹＤとして、ＥＥ−ＰＲＯＭ５２の使用開始日データ書き込み領域５２ｂに書き込むとともに、ＧＤＲに格納されている現在月日データを、使用開始月日データＳＫＤＤとして、同使用開始日データ書き込み領域５２ｂに書き込む（ＳＡ１０）。
【００３９】
次に、譲渡演算レジスタＪＺＲに“０”をセットした後（ＳＡ１１）、「譲渡したい方は、譲渡設定ＳＷを押して下さい」と、表示部６に表示する（ＳＡ１２）。したがって、ユーザーがこの表示部６に表示された文言を視認することにより、譲渡操作を容易に行うことが可能となる。しかる後に、５秒間のＳＷ待ちの状態を維持し（ＳＡ１３）、５秒が経過したならば、譲渡設定ＳＷ９１が押されたか否かを判別する（ＳＡ１４）。そして、前記表示に応じてユーザーが譲渡設定ＳＷ９１を押すと、ＳＡ１４から図１２のフローに進み、さらに期限減少ＳＷ９２と確定ＳＷ９３のいずれかが押されるまでＳＡ２８→ＳＡ２９→ＳＡ２８のループを繰り返す。
【００４０】
このループを繰り返している待機中に、ユーザーが期限減少ＳＷ９２を押すと、譲渡演算レジスタＪＺＲの値をインクリメントする（ＳＡ３０）。なお、この譲渡演算レジスタＪＺＲは、前述のようにＩＣカード２から後に他の装置本体に譲渡するために、当該ＩＣカード２に残存させた有料放送受信有効期間の日数を格納するものである。そして、次のＳＡ３１では、このインクリメントしたＪＺＲの値がＵＤ−１となったか否か、つまりＪＺＲの値が有効期間相対値データＵＤから本日分の“１”を減じた残りの有効期間となったか否かを判別する（ＳＡ３１）。そして、この判別の結果未だＪＺＲ＜ＵＤ−１の状態であればＳＡ２８に戻って、前記ループにより待機状態に入る。したがって、譲渡設定ＳＷ９１を押した後、期限減少ＳＷ９２を押すと、該期限減少ＳＷ９２を押す毎に、ＳＡ３０の処理によりＪＺＲの値が増加して行く。
【００４１】
そして、ユーザーがＪＺＲ＝ＵＤ−１になるまで期限減少ＳＷ９２を押すと、ＩＣカード２に設定されている有効期間の１日（本日分）のみを残して全ての日数を、他の装置本体に譲渡するために残存させたこととなり、これ以上ＪＺＲの値を増加させることはできない。よって、かかる場合には確定ＳＷ９３の操作を待つまでもなく、ＳＡ３１から図１１のＳＡ１５に戻る。また、ＩＣカード２の有効期間内において、任意の日数を他の装置本体に譲渡するため残存せしめ、未だＪＺＲ＜ＵＤ−１の状態にあれば確定ＳＷ９３が押された時点で、ＳＡ２９からＳＡ１５に戻る。すなわち、ユーザーは、譲渡設定ＳＷ９１を押した後、期限減少ＳＷ９２を所望の回数押し、しかる後に確定ＳＷ９３を押すことにより、期限減少ＳＷ９２の押し回数に対応する任意の日数（但し、ＵＤ−１以内）を他のサービス情報受信装置１に譲渡するために残存さておくことができ、この残存させた他のサービス情報受信装置１に譲渡するための日数はＪＺＲにより示される。  そして、ＳＡ１４，ＳＡ２９，ＳＡ３１に続く図１１のＳＡ１５では、ＥＥ−ＰＲＯＭ５２の有効期間相対値データ記憶領域５２ａから、有効期間相対値データＵＤを読み取って、この有効期間相対値データＵＤとＧＤＲに格納されている現在月日データとを加算し、さらに譲渡演算レジスタＪＺＲの値を減じて、その値を日付演算レジスタＨＺＲに格納する（ＳＡ１５）。
【００４２】
すなわち、本日を示す現在月日データを格納しているＧＤＲに、当該ＩＣカード２の有効期間相対値データＵＤの値を加算した“ＵＤ＋ＧＤＲ”により、本日を起算日としたＩＣカード２の使用終了日（有効期間満了日）が得られる。また、ＪＺＲは、当該ＩＣカード２から他の装置本体に譲渡するために残存させた有料放送受信有効期間の日数を示すデータを格納していることから、“ＵＤ＋ＧＤＲ−ＪＺＲ”により、他の装置本体への譲渡分を差し引いた有効期間を示すデータが得られ、この有効期間の終了日を示すデータをＨＺＲに格納するのである。無論、ＩＣカード２の使用開始直後であって、且つ前述したＳＡ２８〜ＳＡ３１の譲渡設定が行われてない場合には、先程のＳＡ１１の処理によりＪＺＲ＝０であることから、ＵＤ＋ＧＤＲがＨＺＲに格納されることとなる。
【００４３】
引き続き、ＨＺＲの値が３６４以下であるか否かを判別する（ＳＡ１６）。ここで、ＨＺＲの値が３６４以下であれば、“年”の値を繰り上げなくても、現在年データを格納しているＧＹＲと、有効期間終了日データを格納しているＨＺＲの各値により終了年及び月日を示すことができる。よって、この場合にはＧＹＲに格納されている現在年データをそのまま、使用終了年データＳＳＹＤとして、使用終了日データ書き込み領域５２ｃに書き込むとともに（ＳＡ１７）、ＨＺＲに格納されている有効期間終了月日データをＳＳＤＤとして、同使用終了日データ書き込み領域５２ｃに書き込む（ＳＡ１８）。
【００４４】
しかし、ＳＡ１６での判別の結果、ＨＺＲの値が３６４を超える場合には、“年”の値を繰り上げなければ、１日から３６５日に対応する０〜３６４の数値で使用終了日を表すことができない。そこで、ＧＹＲに格納されている現在年データの値をインクリメントして、このインクリメントした値を使用終了年データＳＳＹＤとして、使用終了日データ書き込み領域５２ｃに書き込む（ＳＡ１９）。引き続き、ＨＺＲに格納されている有効期間終了日データから３６４を減じて、その値を使用終了月日データＳＳＤＤとして、同使用終了日データ書き込み領域５２ｃに書き込む（ＳＡ２０）。
【００４５】
そして、ＳＡ１８及びＳＡ２０に続くＳＡ２１では、ＳＳＹＤの値とＳＳＤＤの値とを、本体譲渡終了年データＨＪＳＹと本体譲渡終了月日データＨＪＳＤとして、Ｅ２−ＲＯＭ４４の本体譲渡終了日データ書き込み領域４４ａに書き込む。したがって、このＳＡ２１の処理が実行されることにより、ＳＡ１からの処理が繰り返し実行された際に、前述した図１０のＳＡ３〜ＳＡ５において、ＨＪＳＹ＜ＧＹＲ（ＳＡ３がＹＥＳ）、又はＨＪＳＹ＝ＧＹＲ且つＨＪＳＤ≦ＧＤＲ（ＳＡ４及びＳＡ５が共にＹＥＳ）となるまで、有料放送受信モード（ＳＡ８）が設定され続けられる。つまり、ＩＣカード２に記憶されていた有効期間から、前述のＳＡ２８〜ＳＡ３１で、他の装置本体に譲渡するために残存させた有効期間を差し引いた残りの有効期間が、当該ＩＣカード２が装着されたサービス情報受信装置１の有料放送受信可能な期間となるのである。
【００４６】
また、ＳＡ２１に続くＳＡ２２では、譲渡演算レジスタＪＺＲ＝０か否かを判別し、ＪＺＲ＝０であれば、他の装置本体に譲渡するための有効期間を残存させていないことから、このＩＣカード２の使用禁止を示すべく、未使用フラグＭＦに“２”をセットする。しかし、ＪＺＲ≠０であれば、他の装置本体に譲渡するために有効期間を残存させていることから、この残存させた有効期間の値を格納しているＪＺＲの値を、当該ＩＣカード２の新たな有効期間相対値データＵＤとして、ＥＥ−ＰＲＯＭ５２の有効期間相対値データ記憶領域５２ａに書き込むとともに（ＳＡ２３）、譲渡権有りを示すべく未使用フラグＭＦに“０”をセットする（ＳＡ２４）。そして、ＳＡ２４及びＳＡ２５に続くＳＡ２６で、有料放送受信モードを設定し、さらに後述する有料番組受信設定処理（ＳＡ２７）を実行して、ＳＡ１に戻る。
【００４７】
他方、ＳＡ９での判別の結果、未使用フラグＭＦ≠１であった場合には、さらにＭＦ＝２であるか否かを判別する（ＳＡ３２）。ここで、未使用フラグＭＦは、０，１，２のいずれかの値であるから、ＳＡ９及びＳＡ３２の判別が共にＮＯであれば、ＭＦ＝０であって、装着されているＩＣカード２が譲渡権有りを示している。そして、ＭＦ＝０であって譲渡権有りを示している場合には、ＳＡ３２から図１３のフローに進む。したがって、この図１３に示すＳＡ３４〜ＳＡ４３の処理は、
（１）他の装置本体に装着して使用開始し、図１２に示した譲渡設定を行ったＩＣカード２であって、当該他の装置本体から取り外したＩＣカード２を、この装置本体に装着した場合、
（２）この装置本体に装着して使用を開始し、図１２に示した譲渡設定を行ったＩＣカード２であって、この装置本体から取り外した後、再度同じＩＣカード２を同じ装置本体に装着した場合、
に実行されることとなる。この（２）の使用例は具体的には、６ケ月用のＩＣカード２を、前記譲渡設定により４ケ月分残存させて、２ケ月分のみを使用し、２ケ月経過後に、同じ装置本体に同じＩＣカード２装着して、残存させておいた４ケ月分を今から譲渡して使用する場合である。
【００４８】
すなわち、先ずＧＹＲに格納されている現在年データを、譲渡開始年データＪＫＹＤとして、ＥＥ−ＰＲＯＭ５２の譲渡開始日データ書き込み領域５２ｆに書き込むとともに、ＧＤＲに格納されている現在月日データを、譲渡開始月日データＪＫＤＤとして、前記譲渡開始日データ書き込み領域５２ｆに書き込む（ＳＡ３４）。次に、ＥＥ−ＰＲＯＭ５２の有効期間相対値データ記憶領域５２ａから、有効期間相対値データＵＤを読み取って、この有効期間相対値データＵＤとＧＤＲに格納されている現在月日データを加算し、その値を日付演算レジスタＨＺＲに格納する（ＳＡ３５）。ここで、有効期間相対値データＵＤは、このＩＣカード２本来の有効期間を示すものではなく、前述のＳＡ２３で書き込まれた値である。
【００４９】
引き続き、ＨＺＲの値が３６４以下であるか否かを判別する（ＳＡ３６）。ここで、ＨＺＲの値が３６４以下であれば、“年”の値を繰り上げなくても、現在年と、現在月日＋有効期間相対値データとで、譲渡終了日を示すことができる。よって、この場合にはＧＹＲに格納されている現在年データをそのまま、譲渡終了年データＪＳＹＤとして、譲渡終了日データ書き込み領域５２ｇに書き込むとともに（ＳＡ３７）、ＨＺＲに格納されている“現在月日＋有効期間相対値データ”を譲渡終了月日データＪＳＤＤとして、前記譲渡終了日データ書き込み領域５２ｇに書き込む（ＳＡ３８）。
【００５０】
引き続き、譲渡終了年データＪＳＹＤと譲渡終了月日データＪＳＤＤとを、本体譲渡終了年データＨＪＳＹ及び本体譲渡終了月日データＨＪＳＤとして、Ｅ２−ＲＯＭ４４の本体譲渡終了日データ書き込み領域４４ａに各々書き込む（ＳＡ４１）。以上の処理により、ＩＣカード２に残存していた有効期間が全て装置本体側に譲渡されることとなり、ＩＣカード２に残存させた有効期間を無駄なく使用することができる。また、これにより当該ＩＣカード２に有効期間の残存はなくなったことから、未使用フラグＭＦに“２”を書き込み（ＳＡ４２）、このＩＣカード２を使用禁止状態にした後、有料放送受信モードを設定する（ＳＡ４３）。
【００５１】
なお、ＳＡ３６での判別の結果、ＨＺＲの値が３６４を超える場合には、“年”の値を繰り上げなければ、１日から３６５日に対応する０〜３６４の数値で使用終了日を表すことができない。そこで、ＧＹＲに格納されている現在年データの値をインクリメントして、このインクリメントした値を譲渡終了年データＪＳＹＤとして、譲渡終了日データ書き込み領域５２ｆに書き込む（ＳＡ３９）。引き続き、ＨＺＲに格納されている値から３６４を減じて、その値を譲渡終了月日データＪＳＤＤとして、同譲渡終了日データ書き込み領域５２ｆに書き込む（ＳＡ４０）。しかる後に、前述したＳＡ４１〜ＳＡ４３の処理を行って、ＳＡ１に戻る。
【００５２】
なお、この実施例においては期限減少ＳＷ９２の操作回数により、他の装置本体への譲渡する有効期間の日数を指定し、この指定された日数を差し引いた残りの日数を当該装置本体に譲渡するようにしたが、これとは逆に、期限減少ＳＷ９２の操作回数により当該装置本体へ譲渡する有効期間の日数を指定し、この指定された日数を差し引いた残りの日数を他の装置本体に譲渡するようにしてもよい。
【００５３】
一方、ＳＡ３２のでの判別の結果、未使用フラグＭＦ＝２であって、装着されているＩＣカード２が使用禁止の状態にあるならば、非有料放送受信モードを設定して（ＳＡ３３）、ＳＡ１に戻る。すなわち、前述したＳＡ６の判別がＹＥＳであって、ＩＣカード２がスロット２２に装着されていても、当該ＩＣカード２に有効期間が残存しておらず、未使用フラグが“２”であれば、有料放送受信モードを設定することなく、非有料放送受信モードを設定するのである。
【００５４】
他方、受信処理部４３は、以上の図１０〜図１３に示す処理とともに、図１４に示す処理を並行して実行する。すなわち、番組表を示すＩＤであるＨＩの受信を監視し（ＳＣ１）、ＨＩを受信したならば番組表データを取り込んで（ＳＣ２）、後述する番組選択画面作成処理（ＳＣ３）を実行する。しかる後、番組内容データを取り込んで（ＳＣ４）、後述する番組選択操作処理（ＳＣ５）を実行した後、ＳＣ１に戻る。
【００５５】
前記番組選択画面作成処理（ＳＣ３）は、図１５に示すフローに従って行われ、表項目、枠を描画した後（ＳＤ１）、ＢＭ１〜Ｎの番組名を表示する（ＳＤ２）。このＳＤ１及びＳＤ２の処理により、図１８（Ａ）に示すように表示部６には、「番組名」「有料」「見本番組」の表項目とともに枠が表示される。引き続き、有料放送コードＵＨ＝１である番組の「有料」欄に「〇」を描画するとともに（ＳＤ３）、見本番組有無コードＭＢ＝１である番組の「見本番組」欄に「〇」を描画する（ＳＤ４）。したがって、例えば受信信号が下記及び図９に示したデータを有しているとすると、以上の処理により図１８（Ａ）に示すように、「番組名」欄には「番組あ」〜「番組え」が表示され、「有料」欄には「番組い」〜「番組え」に対応して「〇」が表示され、「見本番組」欄には「番組う」及び「番組え」に対応して「〇」が表示されることとなる。
【００５６】
ＢＳ＝４
ＢＭ＝番組あ、ＵＨ＝０，ＭＢ＝０，ＢＢ＝１
ＢＭ＝番組い、ＵＨ＝１，ＭＢ＝０，ＢＢ＝２
ＢＭ＝番組う、ＵＨ＝１，ＭＢ＝１，ＢＢ＝３
ＢＭ＝番組え、ＵＨ＝１，ＭＢ＝１，ＢＢ＝４
また、ＳＤ５では、有料放送受信モードであるか否かを判別し、該モードでない場合には、有料放送コードＵＨ＝１の番組の「有料」欄を網掛けするとともに（ＳＤ６）、ＵＨ＝１かつ見本番組有無コードＭＢ＝０の番組の「番組名」欄を網掛けする（ＳＤ７）。このＳＤ６及びＳＤ８の処理により、図１８（Ａ）に例示するように、「番組い」の「番組名」欄及び「番組い」〜「番組え」の「有料」欄に網掛けが表示される。つまり、「番組名」欄の網掛けにより、見本番組のない有料番組であることが示されるとともに、「有料」欄の網掛けにより、表示不可能な有料番組であることが示される。
【００５７】
しかし、有料放送受信モードである場合には、ＳＤ５からＳＤ８に進み、有料放送コードＵＨ＝１の番組の「有料」欄を網掛けする。次に、ＮＲに“１”をセットした後（ＳＤ９）、このＮＲの示すＫＢＲの値の「有料」欄の網掛けを消す（ＳＤ１０）。ここで、許可番組番号レジスタＫＢＲは、前述のようにＫＢＲ１〜４で構成され、ＫＢＲ１〜３には、後述する処理により有料視認することに決めた番組番号（本例の場合２〜４のいずれか）が格納される。このとき有料視認することを決めた番組番号はＫＢＲ１から順に格納され、また、ＫＢＲ４は常時“０”が格納されている。
【００５８】
そこで、先ずＳＤ９では、ＮＲ＝１をセットして、続くＳＤ１０でＫＢＲ１の値に対応する番組番号の「有料」欄の網掛けを消し、これにより当該番組番号の番組が有料視認として選択されていることを示す。次に、このＫＢＲ１の値の番組の見本番組有無コードＭＢ＝１であるか否かを判別し（ＳＤ１１）、ＭＢ＝１であって見本番組がある場合には、同番組に対応する「見本番組」欄を網掛けする（ＳＤ１２）。これにより、この番組は有料視認として選択されているから、見本番組の視認は不要であることを示す。引き続き、ＮＲをインクリメントした後（ＳＤ１３）、このインクリメントしたＮＲの示すＫＢＲの値が“０”であるか否かを判別し（ＳＤ１４）、“０”でない場合にはＳＤ１０に戻り、“０”である場合には、この番組選択画面作成処理を終了する。
【００５９】
したがって、例えばＫＢＲ１〜３の全てに番組番号が格納されている場合には、ＳＤ１０〜ＳＤ１４のループが３回繰り返されることとなり、ＮＲ＝４となったとき、ＫＢＲ４は常に“０”であることからＳＤ１４からストップ処理に進むこととなる。また、例えば“ＭＢ２＝番組い”と“ＭＢ４＝番組え”（この“ＭＢ４＝番組え”は見本番組有）とが予め選択されている場合には、前記ループが２回繰り返され、図１８（Ｂ）に示すように、「３．番組う」の「有料」欄に網掛けが残り、「４．番組え」の「見本番組」欄に網掛けが付される。つまり、「有料」欄の網掛けにより選択されていない有料番組であることが示されるとともに、「見本番組」欄の網掛けにより当該有料番組が選択されていて、見本番組の視認は不可能であることが示される。
【００６０】
一方、前記有料番組受信設定処理（図１１ＳＡ２７）は、図１６に示すフローに従って行われ、表項目、枠を描画した後（ＳＥ１）、ＢＭ１〜Ｎの番組名を表示し（ＳＥ２）、さらに有料放送コードＵＨ＝０（無料）の「番組名」「設定」欄を網掛けする（ＳＥ３）。このＳＥ１〜ＳＥ３の処理により、図１８（Ｃ）に示すように表示部６には、「番組名」「設定」の表項目及び枠が表示され、「番組名」欄に「番組あ」〜「番組え」が表示されるとともに、無料番組である「番組あ」に網掛けが表示される。これにより、選択対象となる有料番組の「番組い」〜「番組え」が網掛けのない状態となって明瞭化する。
【００６１】
次に、番組許可演算レジスタＢＺＲに有料番組許可数データＵＢＤの値（１〜３のいずれか）を格納し（ＳＥ４）、ＮＲに初期値“１”をセットした後（ＳＥ５）、ＳＷ１〜９が押されたか否かを判別する（ＳＥ６）。ここで、ＳＷ１〜９とは、図２に示した文字・数字選択キー９が数字選択の状態である場合における、ひらがな・数字入力キー群１１の“１”〜“９”に対応するキーである。そして、これらＳＷ１〜９のいずれかが押されたならば、押されたＳＷ番号は番組総数ＢＳ（本例では、前記のようにＢＳ＝４）以下か否かを判別し（ＳＥ７）、ＢＳ以下でない場合にはＳＥ６に戻る。また、ＢＳ以下である場合には、ＳＷ番号と同じ番組番号の有料放送コードＵＨが“１”であるか否かを判別する（ＳＥ８）。
【００６２】
そして、ＵＨ＝０であって無料であればＳＥ６に戻り、ＵＨ＝１であって有料であれば、上記番組つまりＳＷ番号と同じ番組番号の番組の「設定」欄に「〇」を描画する（ＳＥ９）。さらに、ＮＲの示すＫＢＲに押されたＳＷ番号を格納し（ＳＥ１０）、ＢＺＲをディクリメントした後（ＳＥ１１）、ＢＺＲ＝０となっているか否かを判別する（ＳＥ１２）。そして、ＢＺＲ≠０であれば、ＮＲをインクリメントして（ＳＥ１３）、ＳＥ６に戻り、ＢＺＲ＝０となるまでＳＥ６〜ＳＥ１３のループを繰り返し、ＢＺＲ＝０となった時点でこの有料番組受信設定処理を終了する。したがって、例えば有料番組許可数データＵＢＤが“２”であり、ＳＷ２とＳＷ４とを順次押したとすると、ＳＥ９の処理により図１８（Ｃ）に示すように、「番組い」と「番組え」の「設定」欄に「〇」が表示され、ＳＥ１０の処理によりＫＢＲ１＝２、ＫＢＲ２＝４となり、かつ、ＫＢＲ３＝０、ＫＢＲ４＝０のままであるとともに、ＢＺＲ＝２−１−１＝０となって、この有料番組受信設定処理を終了する。
【００６３】
また、このとき同図に示すように「設定可能番組数」の値が表示され、この「設定可能番組数」の値は、本例の場合２→１→０と変化してその値を減少させつつ、順次設定可能な番組数を示す。よって、これを視認することにより、設定可能な番組数を認識しつつ設定操作を行うことができる。
【００６４】
前記番組選択操作処理（ＳＣ５）は、図１７に示すフローに従って行われる。すなわち、前述のＳＷ１〜９が押されたか否かを判別し（ＳＦ１）、これらＳＷ１〜９のいずれかが押されたならば、さらに押されたＳＷ番号は番組総数ＢＳ以下か否かを判別する（ＳＦ２）。ＢＳ以下である場合には、ＳＷ番号と同じ番組番号の有料放送コードＵＨが“０”であるか否かを判別し（ＳＦ３）、ＵＨ＝０であって無料であれば、即時に上記番組の本番組内容データを表示処理する（ＳＦ４）。このＳＦ４の処理により、受信データメモリ４７に記憶されている無料番組（本例では「番組あ」）の本番組内容が読み出され、表示部６に表示される。
【００６５】
また、ＳＦ３での判別の結果、ＵＨ＝１であって有料番組である場合には、有料放送受信モードであるか否かを判別し（ＳＦ５）、有料放送受信モードである場合には、ＮＲに“１”をセットする（ＳＦ６）。次に、ＮＲの示すＫＢＲの値は押されたＳＷと同じであるか否かを判別し（ＳＦ７）、同じであれば上記番組の本番組内容データを表示処理する（ＳＦ８）。しかし、同じでない場合には、ＮＲをインクリメントした後（ＳＦ９）、ＮＲの示すＫＢＲの値が“０”か否かを判別し（ＳＦ１０）、“０”でなければＳＦ７に戻り、“０”であればＳＦ１１に進む。
【００６６】
すなわち、図１６をもって前述した有料番組受信設定処理において操作したＳＷと同一番号のＳＷを操作すると、ＳＦ７において必ずＮＲの示すＫＢＲの値が押されたＳＷ番号と同じとなる。つまり、図１６の有料番組受信設定処理おける例では、ＳＷ２とＳＷ４とを順次押し、前記ＳＣ５の処理によりＫＢＲ１＝２、ＫＢＲ２＝４であり、かつ、ＫＢＲ３＝０、ＫＢＲ４＝０がセットされている。したがって、この番組選択操作処理中において、ＳＷ２を操作すると、ＮＲ＝１の時点で、ＮＲ＝１が示すＫＢＲ１が“２”であることとなって、ＳＦ７でＳＷ２の番号とＫＢＲ１の値“２”とが同じとなる。よって、ＳＦ８では、番組番号２である「番組い」の番組内容を表示部６に表示させる。
【００６７】
また、この番組選択操作処理中において、ＳＷ４を操作すると、ＮＲ＝２の時点で、ＮＲ＝２が示すＫＢＲ２が“４”であることとなって、ＳＦ７でＳＷ４の番号とＫＢＲ２の値“４”とが同じとなる。よって、ＳＦ８では、番組番号４である「番組え」の番組内容を表示部６に表示させる。よって、このように番組選択操作処理中において、有料番組受信設定処理時と同じ番号のＳＷを操作することにより、予め視認することを決定した有料番組の内容を視認することができる。
【００６８】
なお、本例においては前述のように、ＫＢＲ３＝０、ＫＢＲ４＝０がセットされていることから、ＮＲ＝３となった時点で、ＮＲ＝３が示すＫＢＲ３＝０であることにより、ＳＦ１０からＳＦ１１に進む。しかし、ＫＢＲ３にもある番組番号が格納されている場合であっても、ＫＢＲ４に常時“０”が格納されていることから、ＮＲ＝４となった時点でＳＦ１０からＳＦ１１に進むこととなる。
【００６９】
そして、ＮＲの示すＫＢＲの値＝０であって有料番組受信設定処理時と異なる番号のＳＷを操作した場合、及び無料放送受信モードである場合に、ＳＦ５及びＳＦ１０に続くＳＦ１１では、ＳＷ番号と同じ番組番号の見本番組有無コードＭＢ＝１であるか否かを判別し（ＳＦ１１）、ＭＢ＝０であって見本番組がない場合にはこの番組選択操作処理を終了し、ＭＢ＝１であって見本番組がある場合には、上記番組の見本番組内容データを表示処理する（ＳＦ１２）。
【００７０】
したがって、有料番組受信設定処理時と異なる番号のＳＷを操作することにより、番組選択していない他の有料番組に見本番組があれば、これを自由に視認することができるとともに、ＩＣカード２から装置本体に譲渡された有効期間が終了している場合には、番組総数ＢＳ以内の番号のＳＷを操作して、見本番組があれば、これを自由に視認することができる。
【００７１】
なお、実施例においては、ＩＣカード２に記憶されている有効期間を２分割して譲渡するようにしたが、３分割等より多数に分割して譲渡するようにしてもよい。また、実施例においては情報記憶媒体としてＩＣカードを示したが、これに限ることなく、他の媒体を用いてもよい。さらに、本発明は、移動体ＦＭ多重放送のシステムに適用する他、無線通信を利用するページングシステム等や、各種の通信、放送に幅広く適用できることは勿論である。
【００７２】
【発明の効果】
以上説明したように本発明によれば、有料のサービス情報の受信を可能にする有効期間データが示す所定の受信有効期間を、任意の期間に分割して任意の受信装置に付与し、この付与した期間内においてのみ、各受信装置の前記サービス情報の表示を許容することができる。よって、情報記憶媒体を販売することにより料金を適正に徴収しつつ、同一の情報記憶媒体により有料のサービス情報を任意の期間で任意の数のサービス情報受信装置に受信させることができる。また、現在月日と記憶手段に記憶された使用終了日とを比較し、該使用終了日まで、有料のサービス情報を表示に供するようにしたので、情報記憶媒体を販売して課金を行いつつ、有料のサービス情報の受信を管理することができる。
【図面の簡単な説明】
【図１】本発明の一実施例を示す移動体ＦＭ多重文字多重放送のシステム構成を示す概略説明図である。
【図２】本実施例のサービス情報受信装置の平面図である。
【図３】同サービス情報受信装置の左側面図である。
【図４】同サービス情報受信装置の右側面図である。
【図５】同サービス情報受信装置の構成を示すブロック図である。
【図６】本実施例のサービス情報受信装置に使用するＩＣカードの構成を示すブロック図である。
【図７】（Ａ）はＩＣカードのＥＥ−ＰＲＯＭの構成を示す説明図、（Ｂ）はＥ２−ＲＯＭの構成を示す説明図である。
【図８】本実施例のサービス情報送信装置の構成を示すブロック図である。
【図９】サービス情報の送信信号フォーマット図である。
【図１０】本実施例のサービス情報受信装置の処理内容の一部を示すフローチャートである。
【図１１】図１０に続くフローチャートである。
【図１２】図１１に続くフローチャートである。
【図１３】図１１に続くフローチャートである。
【図１４】本実施例のサービス情報受信装置の処理内容の一部を示すフローチャートである。
【図１５】番組選択画面作成処理の内容を示すフローチャートである。
【図１６】有料番組受信設定処理の内容を示すフローチャートである。
【図１７】番組選択操作処理の内容を示すフローチャートである。
【図１８】本実施例の表示例を示す図である。
【符号の説明】
１    サービス情報受信装置
１Ａ    装置本体
２    ＩＣカード
３    ＦＭ放送局
５    キー入力部
６    表示部
３０    ＦＭラジオ部
４０    サービス情報受信部
４３    受信処理部
５２    ＥＥ−ＰＲＯＭ
５２ｂ    使用開始日データ書き込み領域
５２ｆ    譲渡開始日データ書き込み領域
５３    暗号化受け渡し用ＣＰＵ
７０    サービス情報送信装置
【図１】
0003610624.tif 000003
【図２】
0003610624.tif 000004
【図３】
0003610624.tif 000005
【図４】
0003610624.tif 000006
【図５】
0003610624.tif 000007
【図６】
0003610624.tif 000008
【図７】
0003610624.tif 000009
【図８】
0003610624.tif 000010
【図９】
0003610624.tif 000011
【図１０】
0003610624.tif 000012
【図１１】
0003610624.tif 000013
【図１２】
0003610624.tif 000014
【図１３】
0003610624.tif 000015
【図１４】
0003610624.tif 000016
【図１５】
0003610624.tif 000017
【図１６】
0003610624.tif 000018
【図１７】
0003610624.tif 000019
【図１８】
0003610624.tif 000020